(57)【要約】 【課題】運搬性、作業性、機能性、耐用性及び経済性に優れた農園芸用堰板を提供する。【解決手段】帯状の合成樹脂板により長手方向の断面が波形となる堰板１を形成するとともに、波形の凹面２の中心に沿って波深さの約半分の高さの突条３を形成する。【選択図】図１
2007129909.tif 000002
【特許請求の範囲】
【請求項１】
帯状の合成樹脂板により長手方向の断面が波形となる堰板を形成するとともに、波形の凹面の中心に沿って波深さの約半分の高さの突起又は突条を形成したことを特徴とする農園芸用堰板。
【請求項２】
堰板の厚みに下端が細くなるテーパを設けたことを特徴とする請求項１記載の農園芸用堰板。
【請求項３】
堰板の下端から３割以下の範囲にテーパを形成したことを特徴とする請求項２記載の農園芸用堰板。
【請求項４】
堰板に透水性を付与したことを特徴とする請求項１、２又は３記載の農園芸用堰板。
【請求項５】
合成樹脂、無機物及び／又は強化合成樹脂の粉砕片を混合して堰板を形成したことを特徴とする請求項１、２、３又は４記載の農園芸用堰板。
【請求項６】
堰板の一方の側辺に厚肉の嵌合凸部を形成するとともに、堰板の他方の側辺に該嵌合凸部に嵌合する嵌合凹部を形成したことを特徴とする請求項１、２、３、４又は５記載の農園芸用堰板。
【請求項７】
堰板の嵌合凸部に嵌合する嵌合凹部と、堰板の嵌合凹部に嵌合する嵌合凸部とを備えた連設用杭を設け、該連設用杭を介して複数の堰板を接続するようにしたことを特徴とする請求項６記載の農園芸用堰板。
【請求項８】
請求項１乃至６に記載の農園芸用堰板を用いた植生用地盤構造であって、複数の農園芸用堰板で囲われた土盛りの底部に排水性を付与したことを特徴とする農園芸用堰板及び該堰板を用いた植生用地盤構造。
【請求項９】
土盛りの底部より、面上排水材、砕石又は小石、砂、培土を順次積層したことを特徴とする請求項８記載の農園芸用堰板を用いた植生用地盤構造。
【請求項１０】
堰板間に段差及び／又は角度を持たせて連設したことを特徴とする請求項８又は９記載の農園芸用堰板を用いた植生用地盤構造。
【請求項１１】
堰板の嵌合凸部に嵌合する嵌合凹部と、堰板の嵌合凹部に嵌合する嵌合凸部とを備えた連設用杭を設け、地面に打ち込んだ連設用杭を介して複数の堰板を連結するようにしたことを特徴とする請求項８、９又は１０記載の農園芸用堰板を用いた植生用地盤構造。
【発明の詳細な説明】
【技術分野】
【０００１】
本発明は、農園芸用堰板及び該堰板を用いた植生用地盤構造に関し、例えば、ガーデニングを楽しむために、庭先等の土中に打ち込んだり土盛りに建てかけたりして用いることができる農園芸用堰板及び該堰板を用いた植生用地盤構造に関するものである。
【背景技術】
【０００２】
従来から、水田を管理するために屋根材として一般的に使用されている合成樹脂製の波板が、水田を管理するための畦畔板として数多く使用されているが、この畦畔板は水田の畔に沿って設置するもので、独立させて堰板として使用するには強度的に劣るものであった。
【０００３】
このような問題に対処するため、独立させて使用可能な堰板として、下記の特許文献１には、一側端に薄板部を介して円筒状の挿入部を設け、他側端に該円筒状の挿入部が嵌合される大きさを有する嵌合穴を設け、且つ下端部は先端に向かって細くなる差込部分を設けてなる廃棄合成樹脂を原料として成形した畦板が開示されている。
また、下記の特許文献２には、下縁に突出部と凹部を交互に設け、突出部と凹部の先端に刃を形成することにより、差し込まれるときの土中の抵抗を分散して軽減させ、畦に沿って水田に埋設される畦畔板を差し込み易くするとともに、上縁に押し込むときの手掛かりとなる部分を設けることにより、押し込むときの力をかけ易くした畦畔板が開示されている。
【特許文献１】実開昭５４−３５２１１号公報
【特許文献２】特開平１０−２５２０４６号公報
【０００４】
しかしながら、前者の特許文献１で用いられる廃棄合成樹脂は、余程選別されていない限り、若しくは使用量が多過ぎることでその強度や耐用性に問題を残し、また、特許文献２に開示された畦畔板は、合成樹脂の使用量が多くその成形に多大な手間を必要することから経済性に劣るという問題があった。
【発明の開示】
【発明が解決しようとする課題】
【０００５】
本発明は、上記従来の畦畔板が有する問題点に鑑み、運搬性、作業性、機能性、耐用性及び経済性に優れた農園芸用堰板及び該堰板を用いた植生用地盤構造を提供することを目的とする。
【課題を解決するための手段】
【０００６】
上記目的を達成するため、本発明の農園芸用堰板は、帯状の合成樹脂板により長手方向の断面が波形となる堰板を形成するとともに、波形の凹面の中心に沿って波深さの約半分の高さの突起又は突条を形成したことを特徴とする。
【０００７】
この場合、堰板の厚みに下端が細くなるテーパを設けることができる。
【０００８】
また、堰板の下端から３割以下の範囲にテーパを形成することができる。
【０００９】
また、堰板に透水性を付与することができる。
【００１０】
また、合成樹脂、無機物及び／又は強化合成樹脂の粉砕片を混合して堰板を形成することができる。
【００１１】
また、堰板の一方の側辺に厚肉の嵌合凸部を形成するとともに、堰板の他方の側辺に該嵌合凸部に嵌合する嵌合凹部を形成することができる。
【００１２】
また、堰板の嵌合凸部に嵌合する嵌合凹部と、堰板の嵌合凹部に嵌合する嵌合凸部とを備えた連設用杭を設け、該連設用杭を介して複数の堰板を接続することができる。
【００１３】
一方、本発明の農園芸用堰板を用いた植生用地盤構造は、上記本発明の農園芸用堰板を用いた植生用地盤構造であって、複数の農園芸用堰板で囲われた土盛りの底部に排水性を付与したことを特徴とする。
【００１４】
この場合、土盛りの底部より、面上排水材、砕石又は小石、砂、培土を順次積層することができる。
【００１５】
また、堰板間に段差及び／又は角度を持たせて連設することができる。
【００１６】
また、堰板の嵌合凸部に嵌合する嵌合凹部と、堰板の嵌合凹部に嵌合する嵌合凸部とを備えた連設用杭を設け、地面に打ち込んだ連設用杭を介して複数の堰板を連結することができる。
【発明の効果】
【００１７】
本発明の農園芸用堰板によれば、帯状の合成樹脂板により長手方向の断面が波形となる堰板を形成するとともに、波形の凹面の中心に沿って波深さの約半分の高さの突起又は突条を形成することから、突起又は突条が上に重なる堰板の凸面を支持することができ、これにより、がたついたり撓んだりすることなく、堰板を立方体状に積み上げることが可能になり、合理的で且つ楽に持ち運びすることができる。
【００１８】
この場合、堰板の厚みに下端が細くなるテーパを設けることにより、堰板の土中への打ち込み配設が可能になり、また、堰板の下端から３割以下の範囲にテーパを形成することにより、堰板の強度低下を防止することができる。
【００１９】
また、堰板に透水性を付与することにより、植物の根腐れを予防し、合成樹脂、無機物及び／又は強化合成樹脂の粉砕片を堰板に混合することにより、隣接する粉砕片間に面を貫通する微小な空隙を形成することが可能になり、透水性付与をより簡便にすることができる。
【００２０】
また、堰板の一方の側辺に厚肉の嵌合凸部を形成するとともに、堰板の他方の側辺に該嵌合凸部に嵌合する嵌合凹部を形成することにより、複数の堰板を直接接続することができる。
【００２１】
また、堰板の嵌合凸部に嵌合する嵌合凹部と、堰板の嵌合凹部に嵌合する嵌合凸部とを備えた連設用杭を設け、該連設用杭を介して複数の堰板を接続することにより、更に強固な農園芸用堰板の囲い連設を可能にする。
【００２２】
一方、本発明の農園芸用堰板を用いた植生用地盤構造によれば、上記本発明の農園芸用堰板で囲われた土盛りの底部に排水性を付与することから、土盛り部に植栽された植物の根腐れを予防することができる。
【００２３】
この場合、土盛りの底部より、面上排水材、砕石又は小石、砂、培土を順次積層することにより、地中の排水性と通気性が向上し、植物の生長環境を著しく整えることになり、また、農園芸用堰板間に段差及び／又は角度を持たせて連設することにより、地盤の端縁の傾斜や曲がりに沿って適宜効率よく連設することが可能になる。
【００２４】
また、堰板の嵌合凸部に嵌合する嵌合凹部と、堰板の嵌合凹部に嵌合する嵌合凸部とを備えた連設用杭を設け、地面に打ち込んだ連設用杭を介して複数の堰板を連結することにより、強固な農園芸用堰板の囲い連設を可能にし、その土盛りの崩壊や変形を防止することができる。
【発明を実施するための最良の形態】
【００２５】
以下、本発明の農園芸用堰板と連設用杭と植生用地盤の実施形態を、図１〜図７に基づいて説明する。
【実施例１】
【００２６】
図１に、本発明の農園芸用堰板の第１実施例を示す。
この農園芸用堰板は、帯状の合成樹脂板により長手方向の断面が波形となる堰板１を形成するとともに、波形の凹面２の中心に沿って波深さの約半分の高さの突条３を形成している。ここで、「約半分の高さ」とは、「波深さ」の４０〜６０％の高さをいう。
図１（ａ）はその正面図を、（ｂ）はその平面図を、（ｃ）はその側面図をそれぞれ示すものである。
この場合、図示省略するが、前記突条３に代え、所定の間隔で同高さの突起（以下、独立突起という）を設けたり、また、両者を併用して形成することもできる。
【実施例２】
【００２７】
図２に、本発明の農園芸用堰板の第２実施例を示す。
この農園芸用堰板は、帯状の合成樹脂板により長手方向の断面が波形となる堰板１を形成するとともに、波形の凹面２の中心に沿って波深さの約半分の高さの独立突起４を形成し、さらに、堰板１の下端から３割以下の範囲に、堰板１の厚みに下端が細くなるテーパ５を設けている。
また、堰板１の一方の側辺に厚肉の嵌合凸部６を形成するとともに、堰板１の他方の側辺に該嵌合凸部６に嵌合する嵌合凹部７を形成したもので、（ａ）はその正面図を、（ｂ）はそのＡ−Ａ断面図を、（ｃ）はそのＢ−Ｂ断面図をそれぞれ示すものである。
【００２８】
また、図２（ｄ）は、上記実施例２の農園芸用堰板を上下平行に積み重ねた状態を示すものである。
この場合、側辺部を互い違いに積み重ねてもよく、突起４又は突条３が上に重なる堰板１の凸面を支持することにより、がたついたり撓んだりすることなく、堰板１を立方体状に積み上げることが可能になり、合理的で且つ楽に持ち運びすることができることになる。
【００２９】
さらに、上記実施例２で示した両端互いに係止する嵌合凹部７と嵌合凸部６の形状については、波形の厚みを超えることなく互いに係止する限り、特に限定するものでない。
図３は、それ等嵌合凹部７と嵌合凸部６の他の例を示す部分平面図であり、図３（ａ）の場合は、合成樹脂の柔軟性や可撓性から、二つの農園芸用堰板１の側辺部１３を平行に合わせ、その一方の嵌合凸部６を他方の嵌合凹部７に横から押し込むことで接続係止が可能になり、図３（ｂ）の場合も、形態は相違するが、同様に押し込むことで接続係止が可能になる。
図３（ｃ）の場合は、嵌合凸部６に比べ嵌合凹部７が数倍大きい例を示すもので、この例は、図３（ｄ）に示すような面同士の傾斜状態での使用を可能にする。
また、図３（ｅ）の場合は、係止部分が軸となって回転を可能にする例を示すもので、この例は、図３（ｆ）で示すように、堰板１を任意の角度に揺動させた状態で、堰板１同士を接続することができる。
【００３０】
このような農園芸用堰板には、耐腐食、軽量、安価な面で塩化ビニール、ポリエチレン、ポリプロピレンの熱可塑性樹脂やその再生品が最適に使用でき、そして、これ等材料の選択は、すべて農園芸用堰板の耐用性、必要強度、経済性を考慮した設計に委ねられることになる。
【実施例３】
【００３１】
図４に、本発明の農園芸用堰板の第３実施例を示す。
この第３実施例における本発明の農園芸用堰板は、堰板１を貫通するように透水孔９を設けたもので、（ａ）はドリル等で適宜透水孔９を、（ｂ）は堰板１を構成する粉砕片８の間に形成された空隙からなる透水孔９を適宜設けた状態をイメージした断面図である。
この場合、透水孔９は農園芸用堰板１の配置下部により多く設けることもでき、また、粉砕片８には、合成樹脂やその再生品、無機物、強化合成樹脂やその再生品、これ等の混合品が好適に使用でき、このように使用すれば、より簡便に透水性を付与することができる。
また、強化合成樹脂の粉砕片を使用することによって、その粉砕片に残るガラス繊維等つなぎ材が集合し、程のよい透水孔９を形成することにもなる。
【００３２】
以上のように、本実施例の農園芸用堰板は、ガタツキなく立方体状に積み上げることが可能になり、合理的で且つ楽に持ち運びすることができ、堰板１の厚みに下端が細くなるテーパ５を設けることにより、堰板１の土中への打ち込み配設が可能になり、また、堰板１の下端から３割以下の範囲にテーパ５を形成することにより、堰板１の強度低下を防止することができる。
また、堰板１に透水性を付与することで、植物の根腐れを予防し、また、合成樹脂、無機物及び／又は強化合成樹脂の粉砕片８を混合することで、隣接する粉砕片８間に面を貫通する微小な空隙を形成することが可能になり、透水性付与をより簡便することができる。
さらに、堰板１の一方の側辺に厚肉の嵌合凸部６を形成するとともに、堰板１の他方の側辺に該嵌合凸部６に嵌合する嵌合凹部７を形成することにより、複数の堰板１を直接接続することができる。
【実施例４】
【００３３】
図５に、例えば第２実施例の堰板で使用する連設用杭を示す。
この連設用杭１０は、前記した堰板１の嵌合凸部６に嵌合する嵌合凹部１１と、堰板１の嵌合凹部７に嵌合する嵌合凸部１２とを備え、該連設用杭１０を介して複数の堰板１を接続することにより、更に強固な農園芸用堰板の囲い連設を可能にしている。
連設用杭１０は、杭下部を矢尻状に形成し、農園芸用堰板１の側辺部間に打ち込み、堰板１の側辺部を嵌合凹部１１又は嵌合凸部１２を係止させるもので、（ａ）はその正面図、（ｂ）はその側面図、（ｃ）はその平面図である。
なお、詳細な図示は省略するが、連設用杭１０の両側部の嵌合凹部１１と嵌合凸部１２の形状には、前記した農園芸用堰板１の嵌合凹部７や嵌合凸部６と同様な形状が好適に採用することができ、農園芸用堰板１の側辺部と連設用杭１０の嵌合凹部１１又は嵌合凸部１２が係止する限り、特に形状は問われるものでない。
【００３４】
また、このような連設用杭１０には、上記の合成樹脂類に加え、鋼材や木材が好適に使用できることになり、農園芸用堰板１の側辺部の間に打ち込み、農園芸用堰板１の端部間を係止させることで、農園芸用堰板を補強し、更に強固な農園芸用堰板の囲い連設を可能にする。
【実施例５】
【００３５】
図６に、本発明の農園芸用堰板を用いた植生用地盤構造の実施例を示す。
この植生用地盤は、農園芸用堰板１の側辺部間に連設用杭１０を打ち込み、その側辺部を連設用杭１０の両側部に係止させ、その内側を土盛りし、そこに植栽した様子を斜視図で示したものである。
【００３６】
また、図７は上記土盛りの一例を示す断面図であり、底部から面上排水材１３、砕石又は小石１４、砂１５、培土１６を順次積層したもので、このような構成は余剰水による根の腐食を防止すると同時に、堰板１の透水孔９を通じて根に充分な酸素が供給され、植物の健全な生長を促進することになる。
【００３７】
以上、本発明の農園芸用堰板及び該堰板を用いた植生用地盤構造について、それぞれ実施例に基づいて説明したが、本発明は上記実施例に記載した構成に限定されるものではなく、その趣旨を逸脱しない範囲において適宜その構成を変更することができる。
【産業上の利用可能性】
【００３８】
本発明の農園芸用堰板は、植生用地盤構造の土の堰の他に、透水孔を形成しない場合は、水田や鰻の養殖池等の水の堰にも好適に用いることができる。
【図面の簡単な説明】
【００３９】
【図１】本発明の農園芸用堰板の第１実施例を示し、（ａ）はその正面図を、（ｂ）はその平面図を、（ｃ）はその側面図である。
【図２】本発明の農園芸用堰板の第２実施例を示し、（ａ）はその正面図を、（ｂ）は（ａ）のＡ−Ａ断面図を、（ｃ）は（ａ）のＢ−Ｂ断面図、（ｄ）は堰板を積み上げた状態を示す断面図である。
【図３】第２実施例の農園芸用堰板同士の嵌合接続を示し、（ａ）（ｂ）（ｃ）（ｅ）はその平面図、（ｄ）は（ｃ）の嵌合構造により堰板を傾斜して接続した状態を示す正面図、（ｆ）は（ｅ）嵌合構造により堰板を水平方向に揺動させて接続した状態を示す平面図である。
【図４】本発明の農園芸用堰板の第３実施例を示し、（ａ）（ｂ）共に面に直交する断面図である。
【図５】連設用杭を示し、（ａ）はその正面図、（ｂ）は同側面図、（ｃ）は同平面図である。
【図６】本発明の植生用地盤構造の実施例を示す斜視図である。
【図７】同実施例の植生用地盤構造の土盛りを示す断面図である。
【符号の説明】
【００４０】
１    堰板
２    凹面
３    突条
４    突起
５    テーパ
６    嵌合凸部
７    嵌合凹部
８    粉砕片
９    透水孔
１０  連設用杭
１１  嵌合凹部
１２  嵌合凸部
１３  面上排水材
１４  砕石又は小石
１５  砂
１６  培土
【図１】
2007129909.tif 000003
【図２】
2007129909.tif 000004
【図３】
2007129909.tif 000005
【図４】
2007129909.tif 000006
【図５】
2007129909.tif 000007
【図６】
2007129909.tif 000008
【図７】
2007129909.tif 000009